(57)【特許請求の範囲】
【請求項１】
装置筐体の一部を構成し、装置が組み上げられた状態では第一のカバーの上に第二のカバーが組み合わされ、前記第一のカバーの下に第三のカバーが組み合わされる端末装置において、
前記第一のカバーの前記第二のカバーに接する部分には、装置外部に位置すべき第一の壁と該第一の壁より高い装置内部に位置すべき第二の壁にて形成される凹状の溝が設けられると供に、前記第二のカバーの前記第一のカバーに接する部分には、第一の凸状突起が設けられ、前記第一のカバーの一端から他端まで連続して設けられた前記凹状の溝と前記第一の凸状の突起とをかみあわせることによって、前記第一のカバーと第二のカバーとを組み合わせる一方、
前記第一のカバーの前記第三のカバーに接する部分には、装置外部に位置すべき側が高い段差が設けられると共に、前記第三のカバーの前記第一のカバーに接する部分には、第二の凸状の突起が設けられ、前記第一のカバーの一端から他端まで連続して設けられた前記段差と前記第二の凸状の突起とをかみあわせることによって、前記第一のカバーと第三のカバーとを組み合わせ、
前記凹状の溝により導かれた液体が前記第一のカバーと第三のカバーとの接合面から前記装置の内部に侵入することを防止することを特徴とする端末装置。
【発明の詳細な説明】
【０００１】
【発明の属する技術分野】
本発明は、磁気カードやＩＣカードのようなカードを読み取るためのカード読取機構を備えた端末装置に関する。また本発明は、ＰＯＳ端末装置に関し、特にカードの使用を考慮したＰＯＳ端末装置に関する。更に本発明は、装置筺体の特定の構造に関する。
【０００２】
近年クレジットカードやキャッシュカード等のカード類使用が増加しており、各種端末装置でもカードを取り扱えるようにすることが望まれている。カードとしては、磁気カードやＩＣカードなどが広く用いられている。
ここで、カード読取機構とは所謂カードリーダを指すが、読取及び書込が可能なカードリーダ・ライタもカード読取機構の範疇に属するものとして、以下説明を行なう。
【０００３】
【従来の技術】
以下、ＰＯＳ端末装置を対象として、従来技術について説明する。なお、この他の種類の端末装置であっても、事情はさほど変わらない。
従来より、クレジットカード等の使用を考慮したＰＯＳ端末装置が存在する。このようなＰＯＳ端末装置でカード読取装置を使用する場合には、大きくわけてＰＯＳ端末装置の外部にカード読取装置を接続する方法と、ＰＯＳ端末装置内部にカード読取装置を内蔵させる方法とがある。
【０００４】
ＰＯＳ端末装置内にカード読取装置を内蔵させる場合には、カードをカード読取装置に挿入させるためのスリット等をＰＯＳ端末装置に設ける必要がある。
【０００５】
【発明が解決しようとする課題】
ここで、いわゆるファストフード店などのように、飲食物を扱うような店舗などの場合、以下のような問題点が生じる可能性がある。
このような飲食店では、飲料などの液体を煩雑に扱う。特にファストフード店の場合、ＰＯＳ端末装置が客に商品を手渡すカウンタ上に設けられるケースが非常に多い。この様なケースでは特に、飲料等の液体が前述したカード挿入用のスリットを通してＰＯＳ端末装置内部に侵入する可能性が非常に高い。
【０００６】
ＰＯＳ端末装置内部には電子機器が収納されているため、ＰＯＳ端末装置内部に液体が侵入するとこれら電子機器が影響を受ける可能性が高くなる。
このような液体のＰＯＳ端末装置への侵入は、カード挿入用のスリットのみではなく、その他の筺体の継ぎ目などでも生じる可能性がある。
特にこのような飲食店で使用されるＰＯＳ端末では、液体の内部への侵入を防止する方策が必要不可欠である。
【０００７】
本発明は上記課題に鑑み、ＰＯＳ端末装置を始めとする端末装置内部への液体の侵入を防止できる端末装置および筺体構造を実現することを目的とし、特にカード挿入用のスリットからの液体の侵入を防止する端末装置および筺体構造を実現することを目的とする。
なお、上記では特にカード挿通用のスリットに特定して説明を加えたが、特にカード読取装置は内蔵していないが、その他の用途で端末装置にスリットあるいはこれに類する構造を備える必要がある場合でも同様の問題が生じる可能性がある。本発明は、これらの端末装置についても上記の問題（液体の装置内部への侵入）を防止することも視野に入れている。
【０００８】
【課題を解決するための手段】
本発明は、上記課題を解決するために、情報記録カードに対する処理を行う機構を内蔵し、該カードを挿入するためのスリットが設けられた端末装置において、前記スリットを当該端末装置の側面に設けると共に、
該スリットの上側にあるスリット上端部をスリットの下側にあるスリット下端部より張り出すように形成した端末装置であることを特徴とする。
【０００９】
このような構成を取ることによって、カード用のスリットを通した端末装置内部への液体の侵入を効果的に防止することができる。
特に、本発明はスリットの下端部には面取りが形成されていることを特徴とする。あるいは、本発明はスリットが設けられる側面は、その上端部分が端末装置設置面の垂線に対して、装置の外側に張り出すような傾斜が付けられていることを特徴とする。
【００１０】
これらの構成は、端末装置の防水効果（液体の侵入防止）をより効果的にすることができる構成となっている。
一方、本発明は、筺体の側面に水平方向に形成されるスリットを有するとともに、スリットの上端部を、スリットの下端部よりも前方に張り出すように形成した端末装置であることを特徴とする。
【００１１】
更に、本発明は、装置筺体の一部を構成し、装置が組み上げられた状態では第一のカバーの上に第二のカバーが組み合わされる端末装置であって、第一のカバーの第二のカバーに接する部分には凹状の溝が設けられるとともに、第二のカバーの第一のカバーに接する部分には凸状の突起が設けられ、凹状溝と凸状突起とがかみ合わされる端末装置であることを特徴とする。
【００１２】
このような構成を取ることで、凹状の溝が樋のような役割をなし、第一及び第二のカバーの接合面に液体が侵入したとしてもこの溝を介して液体を装置の側面等に導くことが可能となり、液体の装置内部への侵入を防止する効果を更に向上させることができる。
この際に、上側に組み合わされる第一のカバーが、第二のカバーよりも外側に張り出すように両者を組み合わせると、液体の侵入防止効果は更に向上する。
【００１３】
更にまた、本発明は、スリットの奥に、挿入されたカードの上面仮面位置及び先端位置を規制するカードガイドを設け、該カードガイドの端部に挿入されたカード上面及び下面に向かって突出する対となる突出部を形成した端末装置であることを特徴とする。
このような構造の端末装置では、カードガイドの端部に液体が進入してきたとしても、突出部によって、更に中央部分への液体進入を防止することができる。
【００１４】
また、本発明は、情報記録カードに対する処理を行う機構を内蔵し、該カードを挿入するためのスリットが設けられた端末装置であって、前記スリットを当該端末装置の側面に設けると共に、側面に続く上面を当該側面側が低くなるように傾斜させ、上面の当該側面との境界部近傍に、スリットの長さ方向に延びる突出部を形成した端末装置であることを特徴としている。
【００１５】
このような端末装置では、液体が上面の傾斜に従って当該上面を伝わって側面との境界部分に向かって落ちてきても、突出部にてせき止められるので、側面に設けられたスリットに上面を伝わってきた液体が進入することを防止することができる。
更に、本発明は、カバー本体上に両端がリング状の面を有する支持部材を形成すると共に、該支持部材にそのリング状の両端面を挟むように嵌合する取付け部材を設け、該支持部材と取付け部材との間の嵌合ギャップを、水粒が表面張力にて支持部材と取付け部材に支持されるような値に設定した端末装置であることを特徴としている。
【００１６】
このような端末装置では、取付け部材は、端末装置に付随するユニット（例えば、表示ユニット等）をカバー本体に取り付けるものである。この取付け部材とカバー本体の支持部材との間の嵌合ギャップに水滴が達したとしても、表面張力によって嵌合ギャップに水が進入することが防止される。
上記嵌合ギャップの寸法を上記のように設定した端末装置において、本発明は、リング状の各端面の底部を含む所定範囲の幅を他の部分の幅より大きくした端末装置であることを特徴としている。
【００１７】
このような端末装置では、仮に嵌合ギャップに水分が進入したとしても、支持部材のリング状の端面と取付け部材の間をその水分が伝わって、最も低い位置（底部）まで達したとしても、幅を大きくしたリング状の端面によって水分がカバー本体の内部まで進入することを防止することができる。
また更に、本発明は、リング状の各端面の少なくとも上記所定範囲におけるリング内側面を支持部材の内部に向かうほど狭くなるようなテーパー状に形成した端末装置であることを特徴としている。
【００１８】
このような端末装置では、支持部材と取付け部材の嵌合ギャップ内の最も低い位置にたまった水分がリング状の端面を超えて支持部材の内部に進入しにくくなる。
【００１９】
【発明の実施の形態】
以下、本発明の一実施形態によるＰＯＳ端末装置について、図面を用いて説明する。
図１乃至図４は、本実施形態によるＰＯＳ端末装置の４図面を示す図面である。図１は側面図、図２は上面図、図３は正面図、図４は背面図をそれぞれ示している。
【００２０】
図において、１はＰＯＳ端末装置である。ここでは、特にいわゆるファストフード店で使用されるＰＯＳ端末装置が図示されている。この種類のＰＯＳ端末装置は、顧客と店員とが対向するカウンタ上に配置される。図１において、図示左面には店員が、図示右側には顧客が位置する。店員は、この端末装置を用いて顧客が購入しようとする商品の登録や、取引類の算出などの操作を行なう。
【００２１】
ＰＯＳ端末装置は、大きく上部カバー１ａとベース部１ｂとに分けられる。上部カバー１ａとベース部１ｂとは、いずれも樹脂などにより一体的に形成されている。特に、ＰＯＳ端末装置１内部への液体の侵入を防止するためには、上部カバー１ａを一体成形してつなぎ目を無くすことが重要となる。
上部カバー１ａのＰＯＳ端末装置前面側には（図１図示左側）、クレジットカードなどのカードを挿通させるためのスリット２が形成されている。このスリット２は、図１に図示される通り、ＰＯＳ端末装置の設置面に対してほぼ水平となるように形成されている。また、図３に図示される通り、スリット２はＰＯＳ端末装置の前面全長に渡って、水平方向に形成されている。スリット２は、図１図示で若干左下がり（開口部に向けて下方に傾斜）となるようにしてもよいが、設置面に対して水平とした方がカードの挿通の操作を行ないやすい。
【００２２】
ＰＯＳ端末装置１のスリット２に対応する位置には、図示されないカード読取装置が収納されている。ここで、カード読取装置とはカードに記録された情報の読取のみを行なう装置を意味するわけではなく、磁気カードやＩＣカードなどのカード類への情報の読取／書込のいずれかの作用をなす装置を総称したものである。従って、カード上に情報を記録する機能を有する装置であっても、以下便宜上カード読取装置と称する。
【００２３】
上部カバー１ａの上には、ディスプレイパネル３が設置されている。ディスプレイパネル３は、支持部材３ａを回動中心にして回動可能となっている。図１はディスプレイパネル３が最も倒れている状態を図示したものであるが、図１図示反時計方向にディスプレイパネル３を回動させることにより、所望の角度・高さにディスプレイパネル３をセットさせることができる。
【００２４】
ディスプレイパネル３には、図２に図示されるように画像を表示するための画面３ｂが設けられている。画面３ｂには、顧客との取引を行なう際に必要となる各種の情報や、店舗で必要となる情報などが表示される。画面３ｂは所謂タッチパネルとして作用し、画面３ｂ上に表示された各種項目をオペレータが触れることによって、顧客が注文した商品名や価格、あるいは小計の算出などを行なうことができる。
【００２５】
図３に図示されるように、ディスプレイパネル３と上部カバー１ａとは、ディスプレイパネル３に設けられた支持部材３ａと、上部カバー１ａ側に設けられた支持部材１ｃとがはめ合わされることにより接続される。具体的には、支持部材１ｃにはほぼ円筒形の開口が形成されており、支持部材３ａには支持部材１ｃの形状に合わせたほぼ円筒形の開口が形成されている。ディスプレイパネル３は、タッチパネルが操作されるために、所望の角度で固定する必要がある。本実施形態によるＰＯＳ端末装置は、特にディスプレイパネル３を所望の角度で固定するための機構は設けておらず、支持部材１ｃ，３ａ同士のはめ合いにより固定されるようになっている。なお、支持部材１ｃの開口部分は、ＰＯＳ端末装置の外側に向けてすり鉢状に形成されている。これは、支持部材１ｃ，３ａの接合面からの液体の流入を避けるためである。支持部材１ｃの開口部が末広がりとなっているため、この接合面に流入した液体はＰＯＳ端末装置の外側に導かれ、装置内部には流入しにくくなる。
【００２６】
また、図１乃至図３に示すように、上部カバー１ａの上面には、スリット２の形成された側面との境界近傍にスリット２の長さ方向に延びる突出部１ｄが形成されている。この突出部１ｄによって、上部カバー１ａの上面を伝ってきた水滴は、せき止められると共に、上部カバー１ａの側方に導かれる。その結果、上部カバー１ａの上面を伝ってきた水滴がそれに続く側面に形成されたスリット２から装置内に進入することを防止することができる。
【００２７】
ＰＯＳ端末装置の背面には、背面カバー４が取り付けられている。図４に図示されるように、背面カバー４には窓４ａが設けられている。窓４ａの後側には、顧客に対して商品名や商品価格、合計取引額を表示させるための表示器（図示せず）が収納されており、これを視認させるための窓４ａが形成される。窓４ａの位置には、透明な樹脂等により形成されるカバー４ｂが取り付けられ、窓の部分からの液体流入等を防止している。背面カバー４は、ベース部１ｂ及びベース部１ａにはめ込み式に取り付けられる。詳細は後述する。
【００２８】
図５ａは、上部カバー１ａの側面図を、図５ｂは同じく上部カバー１ａの中心付近の断面図をそれぞれ図示するものである。なお、以下特に区別する必要がなければ、図５ａと図５ｂの総称として便宜上単に図５と称する。
図示される通り、図５図示左側にはカードが挿通されるスリットが形成されている。図６は、スリット部分を特に拡大図示した図面である。図６において、一点鎖線２ｄはスリット２が形成される延長線を示しており、ＰＯＳ端末装置の設置面とほぼ水平な位置関係にある。また、一点鎖線２ｄから引き出された実線２ｅは、上部カバー１ａの前面壁面に対して直交する線である。
【００２９】
図６の一点鎖線２ｄと実線２ｅとを比較すると、実線２ｅは一点鎖線２ｄに対して１０数度傾いている。スリット２がＰＯＳ端末装置の設置面に対してほぼ水平となるように形成されているので、この傾きによりスリット２が形成される上部カバー１ａの前面壁面は装置設置面の垂線（一点鎖線２ｄの垂線に等しい）に対して前に迫り出すように傾斜している。つまり、スリットの上端部２ａがスリット２ｂの下端部に対してオーバーハングしていることとなる。
【００３０】
このようなスリット形状を採用することによって、装置の上面から流れる液体がスリットに侵入することを効果的に防止することができる。液体は下方に流れ落ちようとするが、スリット上端部２ａが下端部２ｂよりもオーバーハングしているために、液体は壁面を伝って落下しようとする。また、スリット２自体がほぼ水平方向に形成されるため、スリット内部に液体が侵入しにくい。
【００３１】
更に、スリットの上端部２ａには、ほぼその全長に渡って凸状の突起２ｃが形成されている。この突起２ｃは、樋の如く作用し、装置の上面から流れてきた液体はこの突起２ｃにより装置の左右方向に導かれる。カード読取装置は、スリット２のほぼ中央部分に設けられているが、上記の突起２ｃの作用により液体が直接カード読取装置がセットされている位置に流れ込むのを防止することができ、スリット２の中心付近からは液体が侵入しにくくなる。
【００３２】
加えて、スリット下端部２ｂの端面には、図６に図示される通り面取り２ｆが施されている。そのため、仮に上端部２ａから流れ落ちてきた液体がスリット２の内側に若干入り込んでも、この面取り２ｆの作用により液体を面取り２ｆの部分を通して装置前面壁面に伝わらせることができ、液体はスリット２の内側に侵入することなく外側に排出される。
【００３３】
このように、カードが挿通されるスリットの形状を工夫することによって、スリットを通して液体がＰＯＳ端末装置の内部に侵入することを効果的に防止することができる。
図７及び図８は、スリット内部に設けられるカードを案内するためのカードレール５，６を図示した図面である。図において、それぞれ（ａ）は正面から見た図面、（ｂ）は図示Ａ−Ａ断面図をそれぞれ示す。また、図７はＰＯＳ端末装置に向かって左側に、図８は同じく向かって右側に設けられるカードレールを図示している。カード読取装置は、図７及び図８に図示されるカードレールの間に設けられる。図８には特に、カードレールの側面断面図（ｃ）が図示される。
【００３４】
上記のカードレール５，６は、ＰＯＳ端末装置の上部カバー１ａの内側に取り付けられている。カード読取装置でカードを読み取る場合には、スリット２にカードを挿通させるが、この際にカードがカードレール５，６の後端壁面に突き当てられる。その後、カードをカード読取装置の側に向けて移動させる。カードレール５，６の作用により、読取が行なわれるカードをカード読取装置に確実に案内させることができる。
【００３５】
図７において、カードレール５のスリット部分５ｂには、一対の凸状突起５ａが形成されている。この突起５ａは、カードレール５の終端付近に設けられており、この終端部分から液体が中心付近に流れ込まないために形成されている。つまり、スリット２の終端付近から液体が流れ込んでも、液体は上記した突起５ａを乗り越えることができず、カード読取装置が設けられた部分までは到達しないからである。
【００３６】
図８の場合も同様に、カードレール６の終端付近のスリット部分６ｃに、一対の凸状突起６ａが形成されている。カードレール６の場合には更に、カードレール６の他端（スリット２／上部カバー１ａの中央付近に相当）にも一対の凸状突起６ｂが形成されている。これらの作用は、カードレール５に設けられた突起５ａの作用と同じである。
【００３７】
上部カバー１ａとベース部１ｂとを組み合わせる際には、図４に図示されるように、ベース部１ｂに対して上部カバー１ａが外側となるように組み合わせる。図９は、上部カバー１ａとベース部１ｂとの要部拡大図である。図に示されるように、上部カバー１ａの端面には段差７ａが形成されている。上部カバー１ａとベース部１ｂとが組み合わされる場合には、この段差７ａ（内側）がベース部１ｂの上端面７ｂにのる。従って、上部カバー１ａはベース部１ｂよりも外側に配置されることとなる。
【００３８】
このように構成することで、装置上面から流れる液体がベース部１ｂと上部カバー１ａとの接合面から内部に流れ込まないようにすることができる。また、両者の接合面にゴムなどのパッキング部材を挟み込むことによって、より効果的に液体のＰＯＳ装置内部への侵入を防ぐことができる。
背面カバー４とベース部１ｂ・上部カバー１ａとを組み合わせる場合も、ベース部１ｂと上部カバー１ａとを組み合わせる場合と同様である。
【００３９】
図１０乃至図１４は、背面カバーを図示する。図１０は背面カバー４の正面図を、図１１は背面カバー４の裏面図をそれぞれ示す。また、図１２は背面カバー４を上面から俯瞰した図面を、図１３は背面カバー４をその下方から見た図面である。更に、図１４は背面カバー４をほぼその中心部分で切断した断面図を示している。
【００４０】
背面カバー４には、前述の通り窓４ａとカバー４ｂとが形成されている。
背面カバー４の上端部には、図１４の断面図に図示される通り凹状の溝８ａが形成されている。この溝は、図１２に図示されているように、背面カバー４の全長に渡って形成されている。
一方、図１５は上部カバー１ａの後端部の要部拡大図である。上部カバー１ａの後端部分には、カギ状の突起８ｂが形成されている。背面カバー４と上部カバー１ａとが組み合わされる際には、上部カバー１ａの突起８ｂと背面カバー４の溝８ａとがはめ合わされる。両者が嵌め合わされる様子は、図１６に図示される。図１６図示矢印方向に上部カバー１ａを下げていけば、背面カバー４と上部カバー１ａとが嵌め合わされる。
【００４１】
ここで、背面カバー４に形成された溝８ａは樋の作用をなし、上部カバー１ａと背面カバー４との接合面から仮に液体が流れ込んだとしても、背面カバー４の溝８ａにより液体は左右方向に導かれる。また、溝８ａには隔壁８ｃが形成されており、溝８ａに液体が流れ込んでも液体はこの隔壁８ｃを越えることができないため、液体がＰＯＳ端末装置の内部に侵入する事を防止できる。
【００４２】
溝８ａにより背面カバー４の側面部分に導かれた液体は、下方に流れることになる。この場合、背面カバー４とベース部１ｂとの接合面から、液体がＰＯＳ端末装置の内部に侵入することを防止する必要がある。
図１１は、すでに述べたとおり背面カバー４をその裏側から見た図面である。背面カバー４の側端８ｄには、段差８ｅが形成されている。図１７は段差部分を拡大図示した図面である。この段差８ｅは、ベース部１ｂ側面の壁面と、図９と同じように組み合わせられる。また、図１３には背面カバー４をその下方から見た図面が図示される。その端面８ｆには、同じように段差８ｇが形成され、ベース部１ｂの上面に載置される。
【００４３】
これにより、ベース部１ｂと背面カバー４との接合面からの液体の流入も防止することができる。
図１８は、カードレール５（あるいは６）を上部カバー１ａに取り付けた状態を図示した断面図である。図示星印は、カードレール５（６）とスリット２とが突き当たる突き当て面を示す。
【００４４】
また、図１９は上部カバーの内側を下方から見た図面を図示しており、図１８と同様にカードレール５，６が上部カバーに取り付けられた状態を図示している。図１９に図示される通り、カードレール５，６はそれぞれ上部カバー１ａの両端に取り付けられている。なお、両カードレール５，６の間（図示星印）の位置には、図示されないカード読取装置が取り付けられる。
【００４５】
次に、前記上部カバー１ａの支持部材１ｃとディスプレイパネル３の支持部材３ａ（取付け部材）との接合部分の詳細な構造について説明する。
前記上部カバー１ａは、図２０及び図２１に示すような構造となっている。図２０は上部カバー１ａの外観構造を示し、図２１は上部カバー１ａの内側構造を示している。
【００４６】
図２０、図２１において、上部カバー１ａの上面には、スリット２の延びる方向と略平行に支持部材１ｃが形成されている。支持部材１ｃの両脇には、円周面となる受け部１１が形成されている。支持部材１ｃは、受け部１１と逆方向に湾曲する所定の厚みを有した構造となっている。そして、支持部材１ｃの端部１３と受け部１１の端部１１ａが連続して接合され、結果として、支持部材１ｃの両端には、リング状の端面が形成される。
【００４７】
更に、このような構造の上部カバー１ａに、例えば、図２２に示すような構造にてディスプレイパネル３の支持部材３ａが結合している。なお、図２２は、図２０におけるｂ−ｂ線断面を示している。
図２２において、前述したように、各受け部１１の端部１１ａと、支持部材１ｃの端部１３が連続して接合される結果、支持部材１ｃの両端には、中央に穴１０を有するリング状の端面が形成される。この支持部材１ｃの両端に形成されたリング状の端面を挟むようにディスプレイパネル３の支持部材３ａ（取付け部材）が嵌合されている。支持部材１ｃの両端に形成されたリング状の端面とディスプレイパネル３の支持部材３ａとの隙間、即ち、嵌合ギャップδは、例えば、０．２ミリメートル以下に設定される。
【００４８】
この嵌合ギャップδは、水滴が表面張力によって支持部材１ｃのリング状端面とディスプレイパネル３の支持部材３ａに支持され、その嵌合ギャップδに進入しないような値に決められている。
また、上部カバー１ａに形成された受け部１１の端部１２の高さは、支持部材１ｃの端部１３の高さより大きくなっている。その結果、リング状の端面の幅は、そのリングの底部を含む所定範囲（受け部１１の端部１２に対応）が他の部分（支持部材１ｃの端部１３に対応）より大きくなっている。
【００４９】
このような構造により、水分が仮に上記嵌合ギャップδに進入したとしても、その水分が受け部１１の端部１２（リング状端面の底部を含む所定範囲）を超えて上部カバー１ａ内に進入することが防止される。
また更に、上記受け部１１の端部１２のリング内側面が支持部材１ｃの内部に向かうほど狭くなるようなテーパー状に形成されている。このため、水分が受け部１１の端部１２を更に超えにくくなる。
【００５０】
以上のような上部カバー１ａとディスプレイパネル３の支持部材３ａの接合構造により、それらの接合部分から上部カバー１ａ内に水分が進入することを確実に防止することができる。
【００５１】
【発明の効果】
上記したように、本発明によれば、凹状溝に液体が流れ込んでも、装置内部に位置する壁によってその液体の当該端末装置内部への浸入が防止され得る。
【図面の簡単な説明】
【図１】本発明の一実施形態によるＰＯＳ端末装置の側面図を示す図面である。
【図２】本発明の一実施形態によるＰＯＳ端末装置の上面図を示す図面である。
【図３】本発明の一実施形態によるＰＯＳ端末装置の正面図を示す図面である。
【図４】本発明の一実施形態によるＰＯＳ端末装置の背面図を示す図面である。
【図５】上部カバーの側面図と側面断面図を示す図面である。
【図６】スリット部の拡大側面断面図を示す図面である。
【図７】カードレールの正面図と断面図を示す図面である。
【図８】カードレールの正面図と断面図を示す図面である。
【図９】上部カバーとベース部との嵌め合わせを示す図面である。
【図１０】背面カバーの正面図を示す図面である。
【図１１】背面カバーの裏側を図示した図面である。
【図１２】背面カバーの上面図を示す図面である。
【図１３】背面カバーを下側から図示した図面である。
【図１４】背面カバーの側面断面図を示す図面である。
【図１５】上面カバー後端の側面断面図を示す図面である。
【図１６】上面カバー後端と背面カバーとの嵌め合わせを示す図面である。
【図１７】背面カバー端部の拡大断面図を示す図面である。
【図１８】カードレールの上部カバーへの取付けを示す図面である。
【図１９】カードレールの上部カバーへの取付けを示す図面である。
【図２０】上部カバーの外観構造を示す図である。
【図２１】上部カバーの内側構造を示すずである。
【図２２】上部カバーとディスプレイパネルの支持部材との接合構造を示す断面図である。
【符号の説明】
１  ＰＯＳ端末装置
１ａ  上部カバー
１ｂ  ベース部
１ｃ  支持部材
２  スリット
３  ディスプレイパネル
３ａ  支持部材
４  背面カバー
５、６  ガイドレール
８ａ  凹状の溝
８ｂ  凸状の突起
８ｃ  隔壁
【図１】
0003739601.tif 000002
【図２】
0003739601.tif 000003
【図３】
0003739601.tif 000004
【図４】
0003739601.tif 000005
【図５】
0003739601.tif 000006
【図６】
0003739601.tif 000007
【図７】
0003739601.tif 000008
【図８】
0003739601.tif 000009
【図９】
0003739601.tif 000010
【図１０】
0003739601.tif 000011
【図１１】
0003739601.tif 000012
【図１２】
0003739601.tif 000013
【図１３】
0003739601.tif 000014
【図１４】
0003739601.tif 000015
【図１５】
0003739601.tif 000016
【図１６】
0003739601.tif 000017
【図１７】
0003739601.tif 000018
【図１８】
0003739601.tif 000019
【図１９】
0003739601.tif 000020
【図２０】
0003739601.tif 000021
【図２１】
0003739601.tif 000022
【図２２】
0003739601.tif 000023